(57)【要約】【課題】デジタルフォトフレームなどの画像表示装置において、複数の画像を切り替えて表示する際に、面白味のある切替処理を行う。【解決手段】予め設定された画像切替時間が経過する毎に、本体動作装置１０Ｍ（バイブレータ）によりフレーム本体１０Ｆに振動が与えられる。そして、この本体１０Ｆの振動に伴い表示中の画像Ａが下方向に落ちるようにスライドされながら消去されると共に、替わって画面上部から次の画像Ｂに切り替えられて表示される。このため、ユーザに対して、表示中の画像Ａがフレーム本体１０Ｆの振動に伴いあたかも下に落っこち、その裏側にあった次の画像Ｂが現れたように感じさせることができ、複数の画像を切り替えて表示する際に、従来にない面白味を持たせることができる。【選択図】      図４
2012080385.tif 000002
【特許請求の範囲】
【請求項１】
複数の画像を記憶する画像記憶手段と、
この画像記憶手段により記憶された画像を表示部に表示させる画像表示手段と、
前記画像記憶手段により記憶された複数の画像の中から次の画像を指定する画像指定手段と、
装置本体に動きを与える本体動作手段と、
この本体動作手段により装置本体に動きを与えるのに合わせて、前記表示部に表示された画像を前記画像指定手段により指定された次の画像に切り替えて表示させる画像切替表示手段と、
を備えたことを特徴とする画像表示装置。
【請求項２】
前記本体動作手段は、装置本体に内蔵されて振動を与えるバイブレータであり、
前記画像切替表示手段は、前記バイブレータにより装置本体に振動を与えるのに合わせて、前記表示部に表示された画像をその表示画面の下方向にスライドさせながら前記画像指定手段により指定された次の画像に切り替えて表示させる、
ことを特徴とする請求項１に記載の画像表示装置。
【請求項３】
前記本体動作手段は、装置本体に内蔵されて振動を与えるバイブレータであり、
前記画像切替表示手段は、前記バイブレータにより装置本体に振動を与えるのに合わせて、前記表示部に表示された画像を複数の部分画像に分割し当該部分画像を消去しながら前記画像指定手段により指定された次の画像に切り替えて表示させる、
ことを特徴とする請求項１に記載の画像表示装置。
【請求項４】
前記本体動作手段は、前記表示部を傾斜させる駆動手段であり、
前記画像切替表示手段は、前記駆動手段により前記表示部が傾斜されたのに合わせて、前記表示部に表示された画像をその表示画面の傾斜した方向にスライドさせながら前記画像指定手段により指定された次の画像に切り替えて表示させる、
ことを特徴とする請求項１に記載の画像表示装置。
【請求項５】
装置本体に動きを与える本体動作手段を有する表示装置のコンピュータを制御するためのプログラムであって、
前記コンピュータを、
複数の画像をメモリに記憶させる画像記憶手段、
この画像記憶手段により記憶された画像を表示部に表示させる画像表示手段、
前記画像記憶手段により記憶された複数の画像の中から次の画像を指定する画像指定手段、
前記本体動作手段により装置本体に動きを与えるのに合わせて、前記表示部に表示された画像を前記画像指定手段により指定された次の画像に切り替えて表示させる画像切替表示手段、
として機能させるためのプログラム。
【発明の詳細な説明】
【技術分野】
【０００１】
本発明は、複数の画像を切り替えて表示するデジタルフォトフレームなどの画像表示装置およびその制御プログラムに関する。
【背景技術】
【０００２】
近年、デジタルフォトフレームが実用化され一般家庭をはじめ様々な場所で利用されている。デジタルフォトフレームは、メモリに記憶させた写真画像などの複数の画像を容易に切り替えて高画質で表示させることができるため、絵画に代わるインテリアとしての利用も高まっている。
【０００３】
複数の写真画像を、その撮影日に応じた加工を施し、順次切り替えて表示させるスライドショウの機能を備えたデジタルフォトフレームが考えられている（例えば、特許文献１参照。）。
【先行技術文献】
【特許文献】
【０００４】
【特許文献１】特開２００９−１４１６７８号公報
【発明の概要】
【発明が解決しようとする課題】
【０００５】
前記従来のデジタルフォトフレームでは、複数の画像が、メモリに記憶された順番や撮影日付の順番、ランダムに選択された順番等に従い順次切り替えられて表示されるが、これによる画像の切替処理は、従来からのスライドショウ機能にあるもので、面白味に欠けている。
【０００６】
本発明は、このような課題に鑑みなされたもので、複数の画像を切り替えて表示する際に、面白味のある切替処理を行うことが可能になる画像表示装置およびその制御プログラムを提供することを目的とする。
【課題を解決するための手段】
【０００７】
請求項１に記載の画像表示装置は、複数の画像を記憶する画像記憶手段と、この画像記憶手段により記憶された画像を表示部に表示させる画像表示手段と、前記画像記憶手段により記憶された複数の画像の中から次の画像を指定する画像指定手段と、装置本体に動きを与える本体動作手段と、この本体動作手段により装置本体に動きを与えるのに合わせて、前記表示部に表示された画像を前記画像指定手段により指定された次の画像に切り替えて表示させる画像切替表示手段と、を備えたことを特徴としている。
【０００８】
請求項２に記載の画像表示装置は、前記請求項１に記載の画像表示装置において、前記本体動作手段は、装置本体に内蔵されて振動を与えるバイブレータであり、前記画像切替表示手段は、前記バイブレータにより装置本体に振動を与えるのに合わせて、前記表示部に表示された画像をその表示画面の下方向にスライドさせながら前記画像指定手段により指定された次の画像に切り替えて表示させる、ことを特徴としている。
【０００９】
請求項３に記載の画像表示装置は、前記請求項１に記載の画像表示装置において、前記本体動作手段は、装置本体に内蔵されて振動を与えるバイブレータであり、前記画像切替表示手段は、前記バイブレータにより装置本体に振動を与えるのに合わせて、前記表示部に表示された画像を複数の部分画像に分割し当該部分画像を消去しながら前記画像指定手段により指定された次の画像に切り替えて表示させる、ことを特徴としている。
【００１０】
請求項４に記載の画像表示装置は、前記請求項１に記載の画像表示装置において、前記本体動作手段は、前記表示部を傾斜させる駆動手段であり、前記画像切替表示手段は、前記駆動手段により前記表示部が傾斜されたのに合わせて、前記表示部に表示された画像をその表示画面の傾斜した方向にスライドさせながら前記画像指定手段により指定された次の画像に切り替えて表示させる、ことを特徴としている。
【００１１】
請求項５に記載のプログラムは、装置本体に動きを与える本体動作手段を有する表示装置のコンピュータを制御するためのプログラムであって、前記コンピュータを、複数の画像をメモリに記憶させる画像記憶手段、この画像記憶手段により記憶された画像を表示部に表示させる画像表示手段、前記画像記憶手段により記憶された複数の画像の中から次の画像を指定する画像指定手段、前記本体動作手段により装置本体に動きを与えるのに合わせて、前記表示部に表示された画像を前記画像指定手段により指定された次の画像に切り替えて表示させる画像切替表示手段、として機能させることを特徴としている。
【発明の効果】
【００１２】
本発明によれば、複数の画像を切り替えて表示する際に、面白味のある切替処理を行うことが可能になる画像表示装置およびその制御プログラムを提供できる。
【図面の簡単な説明】
【００１３】
【図１】本発明の画像表示装置の実施形態に係るデジタルフォトフレーム１０の外観構成を示す図であり、同図（Ａ）はその正面図、同図（Ｂ）はその側面図。
【図２】前記デジタルフォトフレーム１０の電子回路の構成を示すブロック図。
【図３】前記デジタルフォトフレーム１０の第１実施形態（その１）の画像表示処理（１Ａ）を示すフローチャート。
【図４】前記デジタルフォトフレーム１０の第１実施形態（その１）の画像表示処理（１Ａ）に伴う一連の画像表示動作を示す図。
【図５】前記デジタルフォトフレーム１０の第１実施形態（その２）の画像表示処理（１Ｂ）を示すフローチャート。
【図６】前記デジタルフォトフレーム１０の第１実施形態（その２）の画像表示処理（１Ｂ）に伴う一連の画像表示動作を示す図。
【図７】前記デジタルフォトフレーム１０の第２実施形態の画像表示処理（２）を示すフローチャート。
【図８】前記デジタルフォトフレーム１０の第２実施形態（その１）の画像表示処理（２）に伴う一連の画像表示動作を示す図。
【図９】前記デジタルフォトフレーム１０の第２実施形態（その２）の画像表示処理（２）に伴う一連の画像表示動作を示す図。
【発明を実施するための形態】
【００１４】
以下図面により本発明の実施の形態について説明する。
【００１５】
図１は、本発明の画像表示装置の実施形態に係るデジタルフォトフレーム１０の外観構成を示す図であり、同図（Ａ）はその正面図、同図（Ｂ）はその側面図である。
【００１６】
このデジタルフォトフレーム１０は、フレーム本体１０Ｆの正面中央に、例えば７インチの高精細カラー液晶表示画面を使用した表示部１１を備える。
【００１７】
一方、フレーム本体１０Ｆの裏面には、電源のＯＮ／ＯＦＦ、動作メニューの表示等を指示するためのキー操作部１２、フレーム本体１０Ｆを設置面に支持するための支持脚１３が設けられ、また側面には、デジタルカメラにより撮影された画像など、複数の画像データを記憶させた図示しないメモリカード（フラッシュメモリ）を装着するためのカードスロット１４が設けられる。
【００１８】
そして、前記フレーム本体１０Ｆには、当該本体１０Ｆ自体を動かすための本体動作装置１０Ｍが内蔵される。
【００１９】
この本体動作装置１０Ｍとして、第１実施形態では、フレーム本体１０Ｆを振動させるためのバイブレータが使用され、第２実施形態では、フレーム本体１０Ｆをその設置面に対して左右何れかの方向に選択的に傾斜させるための脚部駆動装置が使用される。
【００２０】
図２は、前記デジタルフォトフレーム１０の電子回路の構成を示すブロック図である。
【００２１】
このデジタルフォトフレーム１０は、コンピュータであるＣＰＵ(Central Processing Unit)２１を備えている。
【００２２】
このＣＰＵ２１には、前記表示部１１、キー操作部１２、カードスロット１４に装着されたメモリカード内のデータを読み取るカードＩＦ（インターフェイス）１４Ｃ、本体動作装置１０Ｍの他に、記憶装置２２、ＲＡＭ２３が接続される。
【００２３】
前記ＣＰＵ２１は、前記記憶装置２２に予め記憶された制御プログラム２２ａ、あるいはＣＤ−ＲＯＭ、メモリカードなどの記録媒体から記憶装置２２に読み込まれた制御プログラム２２ａ、あるいは通信ネットワーク上のプログラムサーバからダウンロードされて記憶装置２２に読み込まれた制御プログラム２２ａに従い、ＲＡＭ２３を作業領域として回路各部の動作を制御する。
【００２４】
前記記憶装置２２には、画像データ記憶領域２２ｂが確保され、前記メモリカードからカードＩＦ１４Ｃを介して読み込まれた多種多様な画像データが記憶される。
【００２５】
前記ＲＡＭ２３には、表示データ記憶領域２３ａ、画像指定データ記憶領域２３ｂ、切替時間データ記憶領域２３ｃ、切替パターン指定データ記憶領域２３ｄなどが確保される。
【００２６】
前記表示データ記憶領域２３ａは、前記表示部１１のフレームバッファとして機能し、前記記憶装置２２の画像データ記憶領域２２ｂから表示対象として読み出された画像データが記憶される。
【００２７】
画像指定データ記憶領域２３ｂには、前記表示部１１に表示させる画像データの１回の表示に伴う切替時間が経過する毎に、次に表示対象となる画像の指定データが書き替えられて記憶される。
【００２８】
前記切替時間データ記憶領域２３ｃには、前記表示部１１に表示させる画像データの１回の表示に伴う切替時間が、予め設定されるかまたはユーザ任意に設定された時間として記憶される。
【００２９】
前記切替パターン指定データ記憶領域２３ｄには、前記表示部１１に表示させる画像データの複数種類の切替パターンのうち、画像表示の動作モードに応じて予め設定されるかまたはユーザ任意に設定された切替パターンの指定データが記憶される。
【００３０】
この画像切替パターンの指定データとして、例えば、第１実施形態では、本体動作装置１０Ｍ（バイブレータ）の動作に伴い、表示中の画像データを下方向にスライドまたはひび割れて崩れ落ちるように消去し、この消去後の空いた領域に次の画像データを表示させる切替パターン（振動対応切替パターン）の指定データが記憶され、また、第２実施形態では、本体動作装置１０Ｍ（脚部駆動装置）の動作に伴い、表示中の画像データを本体傾斜方向にスライドし、このスライド後の空いた領域に次の画像データを表示させる切替パターン（傾斜対応切替パターン）の指定データが記憶される。
【００３１】
なお、このデジタルフォトフレーム１０において、ＣＰＵ２１が、記憶部２２に記憶される制御プログラム２２ａに従い回路各部の動作を制御し、ハードウエアとソフトウエアが協働することにより実行される機能としては、少なくとも次の３つの機能(1)〜(3)が含まれる。
【００３２】
(1) 設定された切替時間の経過またはユーザ操作に応じて、次に表示対象となる画像の指定データを前記画像指定データ記憶領域２３ｂに設定する機能。
【００３３】
(2) 前記(1)の機能の実行に伴い、本体動作装置１０Ｍを駆動させてデジタルフォトフレーム１０の本体１０Ｆ自体を動かす機能。
【００３４】
(3) 前記(2)の機能の実行に伴い、前記表示データ記憶領域２３ａに書き込まれている表示中の画像データを、前記切替パターン指定データ記憶領域２３ｄに記憶された指定データに応じた画像切替パターンで、前記画像指定データ記憶領域２３ｂに設定された次に表示対象となる画像の指定データに応じた画像データに切り替えて表示させる機能。
【００３５】
次に、前記構成のデジタルフォトフレーム１０による画像表示動作について説明する。
【００３６】
（第１実施形態（その１））
図３は、前記デジタルフォトフレーム１０の第１実施形態（その１）の画像表示処理（１Ａ）を示すフローチャートである。
【００３７】
図４は、前記デジタルフォトフレーム１０の第１実施形態（その１）の画像表示処理（１Ａ）に伴う一連の画像表示動作を示す図である。
【００３８】
キー操作部１２のユーザ操作に応じて表示部１１に表示されたメニュー画面において、画像表示の開始が指示されると、記憶装置２２の画像データ記憶領域２２ｂから、例えば撮影年月日順で記憶されている最初の画像データが読み出される。そして、前記画像データ記憶領域２２ｂから読み出された画像データは表示データ記憶領域２３ａに書き込まれ、図４（Ａ）に示すように画像Ａとして表示部１１に表示される（ステップＳ１）。
【００３９】
この後、切替時間データ記憶領域２３ｃに記憶されている切替時間が経過したと判断されると（ステップＳ２（Ｙｅｓ））、表示中の画像Ａの次の画像データ[画像Ｂ]を指定する指定データが画像指定データ記憶領域２３ｂに書き込まれる（ステップＳ３）。
【００４０】
またこれと共に、本体動作装置１０Ｍ（バイブレータ）が駆動され、図４（Ｂ）の矢印ｍに示すように、デジタルフォトフレーム１０の本体１０Ｆ自体が振動により動かされる（ステップＳ４）。
【００４１】
すると、前記フレーム本体１０Ｆの振動（ｍ）に伴い、表示中の画像Ａが、矢印Ｒｄに示すように、下方向に落ちるようにスライドされて表示される（ステップＳ５ａ）。
【００４２】
そして、前記画像指定データ記憶領域２３ｂに書き込まれた指定データにより指定される次の画像データ[画像Ｂ]が、前記画像データ記憶領域２２ｂから読み出され、この画像Ｂが前記画像Ａの下方向へのスライドに応じて広がる画面上部の領域に切り替えられて表示される（ステップＳ６ａ）。
【００４３】
前記ステップＳ５ａ，Ｓ６ａの処理に従い、図４（Ｃ）に示すように、前の画像Ａから次の画像Ｂへの切替表示が完了すると、前記本体動作装置１０Ｍ（バイブレータ）の駆動が停止され、フレーム本体１０Ｆは静止される（ステップＳ７）。
【００４４】
この後、前記切替時間データ記憶領域２３ｃに記憶された切替時間が経過する毎に、前記同様の本体動作装置１０Ｍ（バイブレータ）によるフレーム本体１０Ｆの振動を伴う画像スライド切替処理が繰り返し実行される（ステップＳ２〜Ｓ７）。
【００４５】
したがって、前記構成のデジタルフォトフレーム１０の第１実施形態（その１）の画像切替表示機能（１Ａ）によれば、予め設定された画像切替時間が経過する毎に、本体動作装置１０Ｍ（バイブレータ）によりフレーム本体１０Ｆに振動が与えられる。そして、この本体１０Ｆの振動に伴い表示中の画像Ａが下方向に落ちるようにスライドされながら消去されると共に、替わって画面上部から次の画像Ｂに切り替えられて表示される。
【００４６】
このため、ユーザに対して、表示中の画像Ａがフレーム本体１０Ｆの振動に伴いあたかも下に落っこち、その裏側にあった次の画像Ｂが現れたように感じさせることができ、複数の画像を切り替えて表示する際に、従来にない面白味を持たせることができる。
【００４７】
（第１実施形態（その２））
図５は、前記デジタルフォトフレーム１０の第１実施形態（その２）の画像表示処理（１Ｂ）を示すフローチャートである。
【００４８】
図６は、前記デジタルフォトフレーム１０の第１実施形態（その２）の画像表示処理（１Ｂ）に伴う一連の画像表示動作を示す図である。
【００４９】
なお、図５に示す画像表示処理（１Ｂ）のフローチャートにおいて、前記図３で示した画像表示処理（１Ａ）と同一の処理ステップについては、同一のステップ符号を付してその説明を簡略にする。
【００５０】
記憶装置２２の画像データ記憶領域２２ｂから読み出された画像データが、例えば図６（Ａ）に示すように、画像Ａとして表示部１１に表示された状態で（ステップＳ１）、切替時間データ記憶領域２３ｃに記憶されている切替時間が経過したと判断されると（ステップＳ２（Ｙｅｓ））、次の画像データ[画像Ｂ]を指定する指定データが画像指定データ記憶領域２３ｂに書き込まれる（ステップＳ３）。
【００５１】
そして、本体動作装置１０Ｍ（バイブレータ）が駆動され、図６（Ｂ）の矢印ｍに示すように、デジタルフォトフレーム１０の本体１０Ｆ自体が振動により動かされる（ステップＳ４）。
【００５２】
すると、前記フレーム本体１０Ｆの振動（ｍ）に伴い、表示中の画像Ａにひび割れ模様が付加されてひび割れ画像Ａ′として表示される（ステップＳ５ｂ）。
【００５３】
そして、前記ひび割れ画像Ａ′にてひび割れた各部分画像が、図６（Ｃ）に示すように、その画面上部から崩れ落ちるように消去されて表示されると共に、前記画像指定データ記憶領域２３ｂに書き込まれた指定データにより指定される次の画像データ[画像Ｂ]が、前記画像データ記憶領域２２ｂから読み出され、この画像Ｂが前記ひび割れ画像Ａ′の崩壊に応じて広がる画面上部の領域に切り替えられて表示される（ステップＳ６ｂ）。
【００５４】
前記ステップＳ５ｂ，Ｓ６ｂの処理に従い、図６（Ｄ）に示すように、ひび割れ画像Ａ′から次の画像Ｂへの切替表示が完了すると、前記本体動作装置１０Ｍ（バイブレータ）の駆動が停止され、フレーム本体１０Ｆは静止される（ステップＳ７）。
【００５５】
この後、前記切替時間データ記憶領域２３ｃに記憶された切替時間が経過する毎に、前記同様の本体動作装置１０Ｍ（バイブレータ）によるフレーム本体１０Ｆの振動を伴う画像崩落切替処理が繰り返し実行される（ステップＳ２〜Ｓ７）。
【００５６】
したがって、前記構成のデジタルフォトフレーム１０の第１実施形態（その２）の画像切替表示機能（１Ｂ）によれば、予め設定された画像切替時間が経過する毎に、本体動作装置１０Ｍ（バイブレータ）によりフレーム本体１０Ｆに振動が与えられる。そして、この本体１０Ｆの振動に伴い表示中の画像Ａにひび割れ模様が付加され、このひび割れ画像Ａ′が画面上部から崩落するように消去されると共に、替わって次の画像Ｂに切り替えられて表示される。
【００５７】
このため、ユーザに対して、表示中の画像Ａがフレーム本体１０Ｆの振動に伴いあたかもひび割れて崩落し、その裏側にあった次の画像Ｂが現れたように感じさせることができ、複数の画像を切り替えて表示する際に、従来にない面白味を持たせることができる。
【００５８】
なお、前記第１実施形態の画像切替機能では、予め設定された切替時間が経過する毎に、本体動作装置１０Ｍ（バイブレータ）によりフレーム本体１０Ｆを振動させながら、表示部１１に表示される画像の切り替え表示処理を実行する構成としたが、当該本体動作装置１０Ｍ（バイブレータ）によるフレーム本体１０Ｆへの振動の付加は、画像の切り替えの何回かに１回だけ行うようにし、飽きが来ないようにしてもよい。
【００５９】
また、前記第１実施形態（その２）の画像切替機能（１Ｂ）では、フレーム本体１０Ｆの振動に伴い、表示中の画像Ａにひび割れ模様を付加すると共に、当該ひび割れた各部分画像を画面上部から崩れ落ちるように消去しながら次の画像Ｂを表示する構成とした。これに対し、フレーム本体１０Ｆの振動に伴い、表示中の画像Ａを単に画面下部から崩れるように消去したり、フレーム本体１０Ｆの振動後に、表示中の画像Ａを前方に倒れるように消去したりしながら、次の画像Ｂを表示してもよい。
【００６０】
（第２実施形態）
図７は、前記デジタルフォトフレーム１０の第２実施形態の画像表示処理（２）を示すフローチャートである。
【００６１】
図８は、前記デジタルフォトフレーム１０の第２実施形態（その１）の画像表示処理（２）に伴う一連の画像表示動作を示す図である。
【００６２】
この図８に示す第２実施形態（その１）のデジタルフォトフレーム１０は、フレーム本体１０Ｆの左右下端部に円形脚部３１Ｌ，３１Ｒを設けて構成する。この円形脚部３１Ｌ，３１Ｒは偏心カム構造を有し、その何れか一方の円形脚部３１Ｌ又は３１Ｒが本体動作装置１０Ｍ（脚部駆動装置）により選択的に半回転駆動された場合、当該一方の円形脚部３１Ｒ（３１Ｌ）側の本体端部の設置高さが増し、フレーム本体１０Ｆは他方の円形脚部３１Ｌ（３１Ｒ）側へ向けて下降傾斜した状態になる。
【００６３】
キー操作部１２のユーザ操作に応じて表示部１１に表示されたメニュー画面において、画像表示の開始が指示されると、記憶装置２２の画像データ記憶領域２２ｂから、例えば撮影年月日順で記憶されている最初の画像データが読み出される。そして、前記画像データ記憶領域２２ｂから読み出された画像データは表示データ記憶領域２３ａに書き込まれ、図８（Ａ）に示すように画像Ａとして表示部１１に表示される（ステップＴ１）。
【００６４】
この後、切替時間データ記憶領域２３ｃに記憶されている切替時間が経過したと判断されると（ステップＴ２（Ｙｅｓ））、表示中の画像Ａの次の画像データ[画像Ｂ]を指定する指定データが画像指定データ記憶領域２３ｂに書き込まれる（ステップＴ３）。
【００６５】
そして、図８（Ｂ）に示すように、本体動作装置１０Ｍ（脚部駆動装置）が駆動されて本体右端の円形脚部３１Ｒが矢印ｒに示す方向に半回転され、フレーム本体１０Ｆが矢印ｍｕに示すように本体左端に向けて下降傾斜した設置状態になる（ステップＴ４）。
【００６６】
すると、このフレーム本体１０Ｆの右から左への下降傾斜（ｍｕ）に伴い、表示中の画像Ａが、矢印Ｒｓに示すように、左方向にスライドされて表示される（ステップＴ５）。
【００６７】
そして、前記画像指定データ記憶領域２３ｂに書き込まれた指定データにより指定される次の画像データ[画像Ｂ]が、前記画像データ記憶領域２２ｂから読み出され、この画像Ｂが前記画像Ａの左方向へのスライド落下に応じて広がる画面右端からの領域に切り替えられて表示される（ステップＴ６）。
【００６８】
前記ステップＴ５，Ｔ６の処理に従い、前の画像Ａから次の画像Ｂへの切替表示が完了すると、前記本体動作装置１０Ｍ（脚部駆動装置）により前記本体右端の円形脚部３１Ｒが逆半回転され、フレーム本体１０Ｆは元の水平な設置状態に戻される（ステップＴ７）。
【００６９】
この後、前記切替時間データ記憶領域２３ｃに記憶された切替時間が経過する毎に、前記同様の本体動作装置１０Ｍ（脚部駆動装置）によるフレーム本体１０Ｆの傾斜を伴う画像スライド切替処理が繰り返し実行される（ステップＴ２〜Ｔ７）。
【００７０】
図９は、前記デジタルフォトフレーム１０の第２実施形態（その２）の画像表示処理（２）に伴う一連の画像表示動作を示す図である。
【００７１】
この図９に示す第２実施形態（その２）のデジタルフォトフレーム１０は、フレーム本体１０Ｆの左右下端部に伸縮脚部３２Ｌ，３２Ｒを設けて構成する。この伸縮脚部３２Ｌ，３２Ｒはシリンダロッド構造を有し、その何れか一方の伸縮脚部３２Ｌ又は３２Ｒが本体動作装置１０Ｍ（脚部駆動装置）により矢印ｇに示すように伸長駆動された場合、当該一方の伸縮脚部３２Ｒ（３２Ｌ）側の本体端部の設置高さが増し、フレーム本体１０Ｆは矢印ｍｕに示すように他方の脚部３２Ｌ（３１Ｒ）側へ向けて下降傾斜した状態になる。
【００７２】
この図９に示す第２実施形態（その２）のデジタルフォトフレーム１０の場合も、前記図８で示した第２実施形態（その１）のデジタルフォトフレーム１０と同様に、前記図７で示した画像表示処理（２）（ステップＴ１〜Ｔ７）に従い動作させることで、フレーム本体１０Ｆの傾斜に応じた方向に表示中の画像Ａをスライド落下させながら、次の画像Ｂに切り替えて表示させることができる。
【００７３】
したがって、前記構成のデジタルフォトフレーム１０の第２実施形態の画像切替表示機能（２）によれば、予め設定された画像切替時間が経過する毎に、本体動作装置１０Ｍ（脚部駆動装置）により左右一方の脚部が伸長駆動され、フレーム本体１０Ｆに左右一方向への下降傾斜が与えられる。そして、このフレーム本体１０Ｆの傾斜に伴い、表示中の画像Ａが下降傾斜した方向に落ちるようにスライドされながら消去されると共に、替わって次の画像Ｂに切り替えられて表示される。なお、傾斜させる手法としては、デジタルフォトフレームの構造を、表示部本体の裏面に回転軸を設けて支持台に取り付ける構造として、回転軸の回転によりフレーム本体（表示部）を傾斜させるようにしても良い。
【００７４】
このようにすることで、ユーザに対して、表示中の画像Ａがフレーム本体１０Ｆの傾斜に伴いあたかも傾斜した方向に滑り落ち、その裏側にあった次の画像Ｂが現れたように感じさせることができ、複数の画像を切り替えて表示する際に、従来にない面白味を持たせることができる。
【００７５】
なお、前記各実施形態において記載したデジタルフォトフレーム１０による各処理の手法、すなわち、図３のフローチャートに示す第１実施形態（その１）の画像表示処理（１Ａ）、図５のフローチャートに示す第１実施形態（その２）の画像表示処理（１Ｂ）、図７のフローチャートに示す第２実施形態の画像表示処理（２）などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の記録媒体に格納して配布することができる。そして、本体動作装置（１０Ｍ）を有する複数の画像データを取り込み可能な表示端末（１０）のコンピュータ（ＣＰＵ２１）は、この記録媒体に記憶されたプログラムを記憶装置（２２）に読み込み、この読み込んだプログラムによって動作が制御されることにより、前記各実施形態において説明した本体動作に応じた画像切替表示機能を実現し、前述した手法による同様の処理を実行することができる。
【００７６】
また、前記各手法を実現するためのプログラムのデータは、プログラムコードの形態として通信ネットワーク上を伝送させることができ、この通信ネットワークに接続されたコンピュータ装置（プログラムサーバ）から前記のプログラムデータを取り込んで記憶装置（２２）に記憶させ、前述した本体動作に応じた画像切替表示機能を実現することもできる。
【００７７】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００７８】
１０  …デジタルフォトフレーム（画像表示装置）
１０Ｆ…フレーム本体
１０Ｍ…本体動作装置（バイブレータ／脚部駆動装置）
１１  …表示部
１２  …キー操作部
１３  …支持脚
１４  …カードスロット
１４Ｃ…カードＩＦ（インターフェイス）
２１  …ＣＰＵ
２２  …記憶装置
２２ａ…制御プログラム
２２ｂ…画像データ記憶領域
２３  …ＲＡＭ
２３ａ…表示データ記憶領域
２３ｂ…画像指定データ記憶領域
２３ｃ…切替時間データ記憶領域
２３ｄ…切替パターン指定データ記憶領域
３１Ｌ，３１Ｒ…円形脚部
３２Ｌ，３２Ｒ…伸縮脚部
Ａ    …画像［Ａ］
Ａ′  …ひび割れ画像［Ａ］
Ｂ    …画像［Ｂ］
ｍ    …振動
ｍｕ  …傾斜
【図１】
2012080385.tif 000003
【図２】
2012080385.tif 000004
【図３】
2012080385.tif 000005
【図４】
2012080385.tif 000006
【図５】
2012080385.tif 000007
【図６】
2012080385.tif 000008
【図７】
2012080385.tif 000009
【図８】
2012080385.tif 000010
【図９】
2012080385.tif 000011